(57)【要約】【課題】アンテナ設定情報を伝送するための向上したシステム及び方法が要求される。【解決手段】無線通信システムにおける送信機のデータ送信方法であって、伝送するデータを獲得する獲得段階と、前記獲得したデータに基づき巡回冗長検査情報を計算する段階と、前記獲得されたデータに前記計算されたＣＲＣ情報を付加するステップと、前記送信機の送信アンテナ設定によって前記計算されたＣＲＣ情報にＣＲＣマスキングを実行する段階と、マスキングされたデータを変調する変調段階と、前記変調されたデータを送信する送信段階とを備えることを特徴とする。【選択図】図１０
2015165682.tif 000002
【特許請求の範囲】
【請求項１】
データを送信する基地局であって、
前記基地局の１つ以上の送信アンテナ設定（ｃｏｎｆｉｇｕｒａｔｉｏｎ）に相応する複数のシーケンスの何れか１つのシーケンスを用いて巡回冗長検査（Ｃｙｃｌｉｃ Ｒｅｄｕｎｄａｎｃｙ Ｃｈｅｃｋ、ＣＲＣ）コードをマスクするように設定されたプロセッサと、
データ及び前記マスクされたＣＲＣコードを伝送するように設定された送信部と、を含み、
前記シーケンスは、送信アンテナ設定により予め設定されたビット列であり、
前記複数のシーケンスは、
端末が前記基地局の１つ以上の送信アンテナ設定を決定するように、使用されることを特徴とする基地局。
【発明の詳細な説明】
【技術分野】
【０００１】
本発明は、無線通信に関し、より詳細には、向上した干渉電力推定技法に関する。
【背景技術】
【０００２】
現代の通信システムは、複数の設定で配置される複数のアンテナから構成される送受信機を含む。このような送受信機を用いて情報を伝達するためには、アンテナの設定に関連する情報が送受信機と通信する装置に伝送されなければならない。しかし、このような通信には相当な帯域幅を要するため具現が容易でない。アンテナ設定の伝達は通信システムに対する相当な負荷を意味する。したがって、アンテナ設定情報を伝送するための向上したシステム及び方法が要求される。
【発明の概要】
【発明が解決しようとする課題】
【０００３】
一実施形態において、送信アンテナに関連するデータ伝送システム及び方法が開示される。これらの方法は、データを獲得し、データを符号化し、データを変調することを含む。データ変調ステップにおいて、データは変調によりデータの構成が伝達できるように構成され得る。これらの方法は、さらに、アンテナ設定を獲得し、アンテナ設定を表す情報を獲得し、アンテナ設定に相応するエラー訂正コードでデータをマスキングすることを含むことができる。
【０００４】
他の一実施形態において、網内の複数の加入者局(ｓｕｂｓｃｒｉｂｅｒ ｓｔａｔｉｏｎｓ)と無線通信が可能な複数の基地局(ｂａｓｅ ｓｔａｔｉｏｎｓ)を含む無線通信網が開示される。これらの実施形態において、複数の基地局のうち少なくとも一つは、送信アンテナ設定をＱＰＳＫ星状に符号化し、ＱＰＳＫ星状を伝送することができる。また、このような伝送は送信アンテナ設定に対応するエラー訂正符号でマスキングされ得る。
【０００５】
さらに他の一実施形態において、網内の複数の加入者局と無線通信が可能な一つの基地局を含むシステムと方法が開示される。これらの実施形態において、基地局は少なくとも一つのアンテナを用いてデータを伝送し、少なくとも一つのアンテナ設定をデータストリームに符号化し、データストリームを伝送することができる。これらの方法は、送信アンテナ設定を指示するためにマスキングされたエラー訂正コードを伝送することをさらに含むことができる。
【０００６】
発明の詳細な説明に先立ち、本明細書の全般で使われる用語や語句を定義する。「〜含む(ｉｎｃｌｕｄｅ)」、「〜からなる(ｃｏｍｐｒｉｓｅ)」及びそれらの派生語は限定のない包含を意味し、「または(ｏｒ)」は及び／または(ａｎｄ／ｏｒ)を含み、「〜に関連する(ａｓｓｏｃｉａｔｅｄ ｗｉｔｈ)」、「それに関連する(ａｓｓｏｃｉａｔｅｄ ｔｈｅｒｅｗｉｔｈ)」及びそれらの派生語句は、包含(ｉｎｃｌｕｄｅ)、含まれる(ｂｅ ｉｎｃｌｕｄｅｄ ｗｉｔｈｉｎ)、相互連結(ｉｎｔｅｒｃｏｎｎｅｃｔ ｗｉｔｈ)、受容する(ｃｏｎｔａｉｎ)、受容される(ｂｅ ｃｏｎｔａｉｎｅｄ ｗｉｔｈｉｎ)、連結(ｃｏｎｎｅｃｔ ｔｏ ｏｒ ｗｉｔｈ)、接続(ｃｏｕｐｌｅ ｔｏ ｏｒ ｗｉｔｈ)、通信(ｂｅ ｃｏｍｍｕｎｉｃａｔｉｏｎ ｗｉｔｈ)、協力(ｃｏｏｐｅｒａｔｅ ｗｉｔｈ)、相互配置(ｉｎｔｅｒｌｅａｖｅｒ)、並置(ｊｕｘｔａｐｏｓｅ)、近置(ｂｅ ａｐｐｒｏｘｉｍａｔｅ ｔｏ)、結合(ｂｅ ｂｏｕｎｄ ｔｏ ｏｒ ｗｉｔｈ)、所有(ｈａｖｅ)、性質の所有(ｈａｖｅ ａ ｐｒｏｐｅｒｔｙ ｏｆ)、または類似(ｔｈｅ ｌｉｋｅ)を意味し、「制御機(ｃｏｎｔｒｏｌｌｅｒ)」は少なくとも一つの動作を制御する装置、システム、またはその部分を意味し、そのような装置は、ハードウェア、ファームウェア、ソフトウェア、またはこれらのうちの少なくとも二つの組み合わせで具現することができる。特定の制御機に関連する機能は、集中しているか、または、局地的にあるいは遠距離に分散されることもある。特定の用語及び語句は本明細書の全般で使われるが、当業者は多くの場合に上述したような定義が適用されることを理解しなければならない。
【発明の効果】
【０００７】
本発明の実施形態による、送信アンテナの設定に関連するデータを伝送するためのシステム及び方法は、伝送するデータを獲得し、データを符号化し、データを変調することを含む。また、データの変調時、データはデータの変調によりデータの設定を伝達する方式に設定され、これらの方法は、アンテナ設定を獲得し、アンテナ設定の表示子を獲得し、エラー訂正符号を有するデータをアンテナ設定に対応するマスクでマスキングすることを含む。
【図面の簡単な説明】
【０００８】
本発明とその利点は、添付の図面と後述する詳細な説明によってより明確になる。図面に記載されている同一の参照番号は同一の構成要素を指す。
【図１】本発明の原理により、アップリンクでＡＣＫ／ＮＡＣＫメッセージを伝送する一例の無線網図面。
【図２】本発明の一実施形態による直交周波数分割多重接続（ＯＦＤＭＡ）送信機の上位水準図面。
【図３】本発明の一実施形態によるＯＦＤＭＡ受信機の上位水準図面。
【図４】本発明の一実施形態による送信チェーンの上位水準図面。
【図５】本発明の一実施形態によるＱＰＳＫ変調マッピング星状図。
【図６】本発明の一実施形態による変形されたＱＰＳＫ変調マッピング星状図。
【図７】本発明の一実施形態による第２の変形されたＱＰＳＫ変調マッピング星状図。
【図８】本発明の一実施形態による第３の変形されたＱＰＳＫ変調マッピング星状図。
【図９】本発明の一実施形態による第４の変形されたＱＰＳＫ変調マッピング星状図。
【図１０】本発明の一実施形態による星状リマッピングを示した一例の伝送チェーンを表した図面。
【図１１】本発明の一実施形態による加入者局による信号解釈を示したフローチャート。
【図１２】本発明の一実施形態による星状マッピング及びＣＲＣマスキングを示したブロック図。
【図１３】本発明の一実施形態によるＣＲＣマスキングを示したブロック図。
【図１４】本発明の一実施形態による加入者局による信号解釈を示したフローチャート。
【図１５】本発明の一実施形態による星状リマッピング及びＣＲＣマッピングを示したブロック図。
【図１６】本発明のＱＰＳＫ星状とＣＲＣマスクとを用いた加入者局による信号解釈を示したフローチャート。
【発明を実施するための形態】
【０００９】
以下、説明する図１ないし図１６、及び本明細書における本発明の原理を説明するために用いられる多様な実施形態は単に説明するためのものであり、発明の範囲を限定するものではない。当業者は、本発明が適切に配置された無線通信システムにおいて具現できることを理解するべきである。
【００１０】
図１は、本発明の原理により、ＡＣＫ／ＮＡＣＫメッセージを伝送する一例の無線網１００を示している。示された実施形態において、無線網１００は、基地局(ＢＳ)１０１、基地局(ＢＳ)１０２、基地局(ＢＳ)１０３、及び他の類似の基地局（図示せず）を含む。基地局１０１は基地局１０２及び基地局１０３と通信する。さらに、基地局１０１はインターネット１３０または類似のＩＰ−基盤の網(図示せず)と通信する。
【００１１】
基地局１０２は、(基地局１０１を経て)基地局１０２のカバレッジ領域１２０内の複数の第1加入者局に、インターネット１３０に対する広帯域無線接続を提供する。複数の第1加入者局は、小企業(ｓｍａｌｌ ｂｕｓｉｎｅｓｓ；ＳＢ)内に位置することのできる加入者局１１１、大企業(ｅｎｔｅｒｐｒｉｓｅ；Ｅ)内に位置することのできる加入者局１１２、ＷｉＦｉホットスポット(ＷｉＦｉ ｈｏｔｓｐｏｔ；ＨＳ)内に位置することのできる加入者局１１３、第１住宅(ｒｅｓｉｄｅｎｃｅ；Ｒ)内に位置することのできる加入者局１１４、第２住宅(ｒｅｓｉｄｅｎｃｅ；Ｒ)内に位置することのできる加入者局１１５、そして、セルフォーン(ｃｅｌｌ ｐｈｏｎｅ)、無線ラップトップ、無線ＰＤＡ(ＰＤＡ)のような移動装置(ｍｏｂｉｌｅ ｄｅｖｉｃｅ；Ｍ)である加入者局１１６を含む。
【００１２】
基地局１０３は、(基地局１０１を経て)基地局１０３のカバレッジ領域１２５内の複数の第２加入者局に、インターネット１３０に対する広帯域無線接続を提供する。複数の第２加入者局は加入者局１１５と加入者局１１６とを含む。一実施形態において、基地局１０１−１０３は、直交周波数分割多重化(ＯＦＤＭ)または直交周波数分割多重接続（ＯＦＤＭＡ）を用いて相互通信することができ、加入者局１１１−１１６とも通信することができる。
【００１３】
基地局１０１は、より多くの、またはより少ない基地局と通信することができる。また、図１では６台の加入者局だけが示されているが、無線網１００はその追加の加入者局に対して広帯域無線接続を提供することができる。加入者局１１５と加入者局１１６とは、カバレッジ領域１２０とカバレッジ領域１２５の両端に位置することに注目すべきである。加入者局１１５と加入者局１１６の各々は、基地局１０２と基地局１０３の両方と通信し、公知のハンドオフモードで動作していると見られる。
【００１４】
加入者局１１１−１１６は、インターネット１３０を介して、音声、データ、ビデオ、画像会議、及び/または他の広帯域サービスに接続することができる。一実施形態において、一つ以上の加入者局１１１−１１６はＷｉＦｉ無線ＬＡＮ(ＷｉＦｉ ＷＬＡＮ)の接続点(ＡＰ)と連結され得る。加入者局１１６は、無線ラップトップコンピュータ、個人情報端末、ノートブックコンピュータ、携帯(ｈａｎｄｈｅｌｄ)装置、またはその他の無線装置を含む多くの移動装置のうちの一つである。加入者局１１４、１１５は、例えば、無線パーソナルコンピュータ(ＰＣ)、ラップトップコンピュータ、ゲートウェイ、またはその他の装置である。
【００１５】
図２は、直交周波数分割多重接続（ＯＦＤＭＡ）送信経路の上位水準図面である。図３は、直交周波数分割多重接続（ＯＦＤＭＡ）受信経路の上位水準図面である。図２と図３において、単に実例と説明の目的で、ＯＦＤＭＡ送信経路は基地局(ＢＳ)１０２で具現され、ＯＦＤＭＡ受信経路は加入者局(ＳＳ)１１６で具現される。しかし、ＯＦＤＭＡ受信経路がＢＳ１０２に具現でき、ＯＦＤＭＡ送信経路がＳＳ１１６に具現できることは、当業者に理解できるはずである。
【００１６】
ＢＳ１０２内の送信経路は、チャンネル符号化及び変調ブロック２０５、直−並列(Ｓ−ｔｏ−Ｐ)ブロック２１０、サイズＮ逆高速フーリエ変換(ＩＦＦＴ)ブロック２１５、並−直列(Ｐ−ｔｏ−Ｓ)ブロック２２０、循環前置挿入(ａｄｄ  ｃｙｃｌｉｃ  ｐｒｅｆｉｘ)ブロック２２５、及びアップ変換機(ｕｐ−ｃｏｎｖｅｒｔｅｒ；ＵＣ)ブロック２３０を含む。ＳＳ１１６内の受信経路は、ダウン変換機(ｄｏｗｎ−ｃｏｎｖｅｒｔｅｒ；ＤＣ)ブロック２５５、循環前置除去(ｒｅｍｏｖｅ  ｃｙｃｌｉｃ  ｐｒｅｆｉｘ)ブロック２６０、直−並列(Ｓ−ｔｏ−Ｐ)ブロック２６５、サイズＮ高速フーリエ変換(ＦＦＴ)ブロック２７０、並−直列(Ｐ−ｔｏ−Ｓ)ブロック２７５、チャンネル復号化及び復調ブロック２８０を含む。
【００１７】
図２及び図３の構成要素のうち少なくとも一部はソフトウェアで構成され、他の構成要素は設定可能なハードウェア、またはソフトウェアと設定可能なハードウェアとの結合で構成され得る。特に、詳細な説明に開示されたＦＦＴブロックとＩＦＦＴブロックとは、具現によりサイズＮの値が変更される設定可能なソフトウェアアルゴリズムとして具現され得る。
【００１８】
さらに、高速フーリエ変換及び逆高速フーリエ変換を具現する実施形態が説明されているが、これは単に説明を容易にするためのものであり、発明の範囲を限定するものではない。発明の他の実施形態において、高速フーリエ変換機能と逆高速フーリエ変換機能は、離散フーリエ変換(ＤＦＴ)機能と逆離散フーリエ変換(ＩＤＦＴ)機能によって各々代替され得る。ＤＦＴとＩＤＦＴ機能において、Ｎ変数の値はある整数(すなわち、１、２、３、４等)である一方、ＦＦＴとＩＦＦＴ機能において、Ｎ変数の値は２の累乗である、ある整数(すなわち、１、２、４、８、１６等)であることを理解するべきである。
【００１９】
ＢＳ１０２において、チャンネル符号化及び変調ブロック２０５は、情報ビット集合を受信し、入力ビットに符号化(例えば、ターボコーディング)及び変調(例えば、ＱＰＳＫ、ＱＡＭ)を実行して一連の周波数領域変調シンボルを出力する。直−並列ブロック２１０は、直列変調シンボルを並列データに変換して(すなわち、逆多重化して)Ｎ個の並列シンボル列を出力する(ここで、Ｎは、ＢＳ１０２とＳＳ１１６で使用されるＩＦＦＴ／ＦＦＴサイズ)。その後、サイズＮのＩＦＦＴブロック２１５は、Ｎ個の並列シンボル列に対してＩＦＦＴ動作を実行し、時間領域出力信号を出力する。並−直列ブロック２２０は、サイズＮのＩＦＦＴブロック２１５から入力される並列時間領域出力シンボルを変換して(すなわち、多重化して)直列時間領域信号を出力する。循環前置挿入ブロック２２５は時間領域信号に循環前置を挿入する。最後に、アップ変換機２３０は、無線チャンネルに伝送するために循環前置ブロック２２５の出力にＲＦ周波数を加えて変調する(すなわち、アップ変換する)。信号はＲＦ周波数に変換される前に基底帯域で余波され得る。
【００２０】
伝送されたＲＦ信号は、無線チャンネルを経てＳＳ１１６に到達し、ＢＳ１０２での逆動作が実行される。ダウン変換機２５５は、受信された信号を基底帯域周波数にダウン変換し、循環前置除去ブロック２６０が循環前置を除去して直列時間領域基底帯域信号を出力する。直−並列ブロック２６５は、時間領域基底帯域信号を並列時間領域信号に変換する。サイズＮ ＦＦＴブロック２７０は、ＦＦＴアルゴリズムを実行してＮ個の並列周波数領域信号を出力する。並−直列ブロック２７５は、並列周波数領域信号を一連の変調データシンボルに変換する。チャンネル復号化及び変調ブロック２８０は、変調シンボルを復調し、復号して本来の入力データ列に復元する。
【００２１】
基地局１０１−１０３の各々は、ダウンリンクで、加入者局１１１−１１６に伝送することと類似する送信経路を具現することができ、アップリンクで、加入者局１１１−１１６から受信することと類似する受信経路を具現することができる。このように、加入者局１１１−１１６の各々は、アップリンクから基地局１０１−１０３に伝送するための構造に対応する送信経路を具現することができ、ダウンリンクで、基地局１０１−１０３から受信するための構造に対応する受信経路を具現することができる。
【００２２】
本発明は、基地局設定に関連する情報を加入者局に伝達するための方法及びシステムについて記述し、より詳細には、基地局アンテナ設定を加入者局に中継伝達するための方法及びシステムについて記述する。このような情報は、アンテナ設定を直交位相偏移変調（ＱＰＳＫ）星状(例えば、ｎ−直交振幅変調（ＱＡＭ）信号、ｎは2＾ｘ)に配置するか、あるいは、アンテナ設定をエラー訂正データ(例えば、循環余剰検査(ＣＲＣ)データ)に配置することを含む多様な方法によって伝達することができる。アンテナ情報をＯＰＳＫ星状またはエラー訂正データに符号化することによって、基地局１０１−１０３はアンテナ設定を別途伝送せずに基地局アンテナ設定を伝達することができる。このようなシステムと方法は、基地局１０１−１０３と複数の加入者局間の信頼性のある通信を保障し、負荷を減らすことができる。
【００２３】
本発明に開示された一部の実施形態において、ＱＡＭを用いてデータが伝送される。ＱＡＭは二つの搬送波の振幅を変調してデータを伝送する変調方式である。これらの二つの搬送波は直交搬送波と呼ばれ、一般的に９０度異なる位相を有する。ＱＡＭは２＾ｘ個の点で構成される星状図により表現され、ここでｘは１より大きい整数である。本発明に開示された実施形態において、説明された星状図は４点星状図(４−ＱＡＭ)になる。４−ＱＡＭ星状図において、２次元グラフは２次元グラフの各四分面に一つの星状点を有することで表現される。しかし、本発明で論議される進歩性は、星状図において、如何なる数の星状点を有する如何なる変調方式とでも共に使用され得る。さらに、４個以上の点を有する星状図を利用する場合、基地局１０１−１０３の設定に関連する追加情報(例えば、基準電力信号)が開示されたシステム及び方法と一致するように伝送することができる。
【００２４】
基地局１０１−１０３の送信機は、実際にデータを伝送する前に多様な機能を実行する。４−ＱＡＭ実施形態において、ＱＡＭ変調されたシンボルは直-並列変換されて逆高速フーリエ変換機(ＩＦＦＴ)に入力される。ＩＦＦＴの出力端でＮ個の時間領域サンプルが求められる。開示された実施形態において、ＮはＯＦＤＭシステムで使用されるＩＦＦＴ／ＦＦＴサイズを表す。ＩＦＦＴ以後の信号は並−直列変換され、循環前置(ＣＰ)が信号列に加わる。結果サンプル列はＯＦＤＭシンボルと称される。
【００２５】
加入者局内の受信機において、これと反対のステップが実行され、循環前置が最初に除去される。その後、信号はＦＦＴに提供される前に直−並列変換される。ＦＦＴの出力は並−直列変換され、その結果であるＱＡＭ変調シンボルがＱＡＭ復調機に入力される。
【００２６】
ＯＦＤＭシステムの全体帯域幅は、副搬送波と呼ばれる狭帯域単位に分割される。副搬送波の数はシステムで使用されるＦＦＴ／ＩＦＦＴサイズであるＮと一致する。周波数スペクトルの端の一部の副搬送波が保護副搬送波として指定されるため、一般的にデータ用副搬送波の数はＮより小さい。一般的に、保護副搬送波上にはどのような情報も伝送されない。
【００２７】
図２、図１０、及び図１２に示された例において、復号化されたＢＣＨ伝送ブロックは、４０ｍｓ時区間内の４個のサブフレーム(ｓｕｂｆｒａｍｅ＃０、＃１、＃２、及び＃３)にマッピングされる。４−ＱＡＭの実施形態において、符号化された放送チャンネル（ＢＣＨ）伝送ブロックは一つのサブフレーム内の４ＯＦＤＭシンボルにマッピングされる。拡張されたＣＰの場合、これは遊休シンボルの数において、ＴＤＤ ＦＳタイプ１の場合に３個の遊休シンボルに制限されることを意味する。
【００２８】
例示の目的で、三つの基地局１０１−１０３アンテナ設定が例として用いられる。これらの設定は、一つの送信アンテナ、空間周波数ブロック符号化（ＳＦＢＣ）伝送方式を利用する二つの送信アンテナ、ＳＦＢＣ−周波数転換伝送多変化（ＦＳＴＤ）伝送方式を利用する四つの送信アンテナである。相互異なる伝送方式が使用される場合、伝送方式に基づく送信アンテナ数の検出が難しい。各伝送方式は、他方式の部分集合として考慮される信号の大きい部分（ａ ｌａｒｇｅ ｐｏｒｔｉｏｎ ｏｆ ｔｈｅ ｓｉｇｎａｌ）を有し、したがって、この信号に基づいて使用される伝送方式を信頼できるように検出し、決定することが難しくなる。よって、アンテナ設定は、物理放送チャンネル(Ｐ−ＢＣＨ)伝送ブロック及びそれに関連するＱＡＭ星状図に、またはＰ−ＢＣＨ伝送ブロックのエラー訂正データに符号化される必要がある。
【００２９】
ＱＰＳＫ変調はＰ−ＢＣＨのために使用される。上述のように、４−ＱＡＭ星状図は２次元マッピングの四分面に分散される４個の点で構成される。下記表１は、本発明で論議される星状マッピングを表す表である。
【００３０】
【表１】
2015165682.tif 000003
【００３１】
基地局１０１−１０３のデータ送信は送信チェーンを介して実行される。送信チェーンは送信のためにデータを準備する一連の動作である。このような動作はデータをスクランブリング(ｓｃｒａｍｂｌｉｎｇ)し、変調し、マッピングすることを含む。送信チェーンは、直交周波数分割多重化(ＯＦＤＭ)を含む多様な通信技法に合わせて適用され得る。
【００３２】
送信基地局１０１−１０３アンテナ設定情報の色々な実施形態に対する理解を助けるために、予め決められた時区間にわたってデータにマッピングされた放送チャンネル（ＢＣＨ）の送信チェーンが図４に示されている。ここに開示されたデータ符号化に関連する例では１０ｍｓ−４０ｍｓの範囲とともに説明されるが、如何なる長さの時区間も、開示されたシステム及び方法に合わせて使用し得る。
【００３３】
図４は、データ符号化のために本発明により使用できる方法の例である。図４はＢＣＨ伝送ブロック送信の上位水準詳細図である。Ｐ−ＢＣＨはＢＣＨ伝送ブロック(ブロック３０１)内のマッピングメカニズムによって受信される。レートマッチングを含むチャンネル符号化はＢＣＨ伝送ブロック(ブロック３０２)に適用される。チャンネル符号化で論議されるが、データはエラー訂正情報をアンテナ設定を伝達するために使用され得るＢＣＨ伝送ブロックからのデータに挿入するために変更することができる。符号化及びレートマッチングを経たデータはスクランブルされた(ブロック３０３)後、変調される(ブロック３０４)。変調されたデータはＱＰＳＫデータストリーム上でフレームにマッピングされる(ブロック３０５)。一部の実施形態において、データマッピング時、マップはアンテナ設定情報を伝達できるように変更される。このような伝送チェーンは単に例示の目的として提供されるものであり、他の伝送チェーンが多様なステップの多様な順序で本発明に合わせて使用することができる。
【００３４】
図５は、表１に示されたデータを利用するＱＰＳＫ変調の２次元星状マッピングを表している。上述のように、送信チェーンによって符号化された各フレームには、ＱＰＳＫデータストリーム上にマッピングされる四つの項目(ｉｔｅｍｓ)がある。例示の目的として、四つの情報要素が００(四分面Ａ)、０１(四分面Ｂ)、１０(四分面Ｃ)、及び１１(四分面Ｄ)で参照される。ＱＰＳＫ星状マッピングは、基地局１０１−１０３内のアンテナの設定に関連する情報を提供することができる。一般的に、ＱＰＳＫ変調に４個の星状点が存在するため、下記のように計４！（２４）個の可能なマッピングが存在する。下記表２は、使用可能な全体マッピングを表した表である。
【００３５】
【表２】
2015165682.tif 000004
【００３６】
図５は、表２に表したインデックス＃１４の例である。このマッピングにおいて、Ａ、Ｂ、Ｃ、及びＤはＱＰＳＫ星状図の四分面である。要素００、０１、１０、及び１１の四分面Ａ、Ｂ、Ｃ、及びＤに対するマッピングは加入者局により検出することができる。その後、このようなマッピングは表３のように知られている表に比較され得る。
【００３７】
【表３】
2015165682.tif 000005
【００３８】
表３を用いて、図５に示された星状図を伝送する基地局１０１−１０３のアンテナ設定が決定され得る。アンテナ設定はＱＰＳＫマッピングにより決定され、使用された伝送方式やアンテナ数に独立的である。したがって、表３に示された知られているＱＰＳＫ表と結びついている星状マッピングを使用することによって、基地局１０１−１０３のアンテナ設定を決定するための信頼性のある方法が提供される。
【００３９】
図５はＱＰＳＫマッピングの一例であり、図６、７、８、及び９は多様な他の例である。図６は表２のマッピング＃１の例であり、実際的に１／√２に関して各マッピングの位置に関する図示を追加した図５と類似している。
【００４０】
図７、８、及び９は図６上で実行されるマッピングの例である。このマッピングの目的はデータのＱＰＳＫマッピングにアンテナ設定データを追加することである。このようなデータの追加は、図７、８、及び９に示されたように、マッピング、偏移(ｓｈｉｆｔｉｎｇ)、または否定(ｎｅｇａｔｉｏｎ)を介して実行される。ＱＰＳＫ星状図を調整する如何なる方法も使用できることを明らかに理解するべきである。
【００４１】
図７は図６に示されたデータの９０度位相偏移である。図６の位相偏移により、表３のマッピングインデックス＃１１に関連するアンテナ設定が伝送され得る。このようなマッピングにより４ＳＦＢＣ／ＦＳＴＤの設定が決定される。
【００４２】
図８は否定マッピングの例である。図８はマッピングインデックス＃１以後Ｉ−パート上での否定である。否定により、マッピングインデックス＃１７に関連するアンテナ設定が伝送され得る。このようなマッピングにより３ＳＦＢＣ／ＦＳＴＤの設定が決定される。
【００４３】
図９は否定マッピングの他の例である。図８はマッピングインデックス＃１以後Ｑ−パート上での否定である。否定により、表３のマッピングインデックス＃８に関連するアンテナ設定が伝送され得る。このようなマッピングにより３ＳＦＢＣ／ＦＳＴＤの設定が決定される。
【００４４】
図１０は星状リマッピング(ｒｅｍａｐｐｉｎｇ)を示した伝送チェーン６００の例である。図１０に示された実施形態において、チャンネルマッチングを含むチャンネルレート符号化が実行される(ブロック６０１)。また、チャンネルレート信号はスクランブルされる(ブロック６０２)。その後、スクランブルされた信号は変調される(ブロック６０３)。信号が変調された後、星状マッピングが実行される(ブロック６０４)。星状のリマッピングは、その結果が基地局１０１−１０３のアンテナ設定を伝送できるように実行される。星状リマッピングは、先に基地局１０１−１０３のアンテナ設定を確認することによって実行される。アンテナ設定が決定されると、アンテナ設定に対応するマッピングが選択される。選択されたマッピング設定を利用して、ＱＰＳＫリマッピングがアンテナ設定を伝送するために実行される。最後に、データが伝送のためのフレーム上に配置される位置でデータフレーミングが実行される(ブロック６０５)。
【００４５】
変調ステップ(ブロック６０３)において、表３のマッピングインデックス＃１が使用されることを理解すべきである。星状リマッピング後、スクランブルされたビット
【００４６】
【数１】
2015165682.tif 000006
【００４７】
から星状リマッピングステップの出力
【００４８】
【数２】
2015165682.tif 000007
【００４９】
までの全体マッピングは、インデックスがｆ(Ｎｔ)関数である表３でのマッピングのように説明される(ここで、Ｎｔは基地局１０１−１０３の送信アンテナ数)。
【００５０】
１、２、または４個の送信アンテナを有する３個の可能なアンテナ設定が存在する場合、変調ステップと星状リマッピングステップは、表３で(２４個中)３個の可能なマッピングにより定義される。例えば、下記の関数は与えられた設定においてアンテナの数に対応するマッピングを表す。
【００５１】
【数３】
2015165682.tif 000008
【００５２】
表記ｍ＃１は表３の第１マッピングを表すために使用される。リマッピング(ブロック６０４)はアンテナ設定により決定される。単一送信アンテナ設定の場合のために、星状リマッピングステップは単純にｉ＝０、Ｍｓｙｍｂ−１に対する
【００５３】
【数４】
2015165682.tif 000009
【００５４】
である。
【００５５】
二つの送信アンテナが存在する場合、図５で示すように、表３のマッピングインデックス＃１４は、変調ステップの出力に９０度の偏移を適用することによって観測され得る。変調ステップの出力でのシークエンスｄ(０),…,ｄ(Ｍｓｙｍｂ−１）に対し、仮に
【００５６】
【数５】
2015165682.tif 000010
【００５７】
がｄ(ｉ)の実数部と虚数部として表示されれば、星状リマッピングステップの出力は下記
により説明されるシンボルシークエンスを算出する。
【００５８】
【数６】
2015165682.tif 000011
【００５９】
この方程式から分かるように、９０度位相偏移は単純に否定演算を含むＩ−Ｑ転換に変換される。
【００６０】
四つのアンテナが存在する場合、−９０度偏移がマッピング＃１の上で変調ステップの出力に適用され得る。変調ステップの出力でのシークエンスｄ(０),…,ｄ(Ｍｓｙｍｂ−１）に対し、仮に
【００６１】
【数７】
2015165682.tif 000012
【００６２】
であり、
【００６３】
【数８】
2015165682.tif 000013
【００６４】
が実数部と虚数部として表示されれば、星状リマッピングステップの出力は、
【００６５】
【数９】
2015165682.tif 000014
【００６６】
により説明されるシンボルシークエンスを算出する。このような−９０度位相偏移度否定演算を含むＩ−Ｑ転換に変換される。
【００６７】
本実施形態の他の例のために、星状リマッピングでの下記の関数が説明される。
【００６８】
【数１０】
2015165682.tif 000015
【００６９】
単一送信アンテナに対して上記したように、星状リマッピングは
【００７０】
【数１１】
2015165682.tif 000016
【００７１】
である。
【００７２】
二つの送信アンテナが使用される場合、表３のマッピングインデックス＃１７は、変調ステップの出力でＩ−パートに否定演算を適用することによって観測され得る。変調ステップの出力でのシークエンスｄ(０),…,ｄ(Ｍｓｙｍｂ−１）に対し、仮に
【００７３】
【数１２】
2015165682.tif 000017
【００７４】
がｄ(ｉ)の実数部と虚数部として表示されれば、星状リマッピングステップの出力は、
【００７５】
【数１３】
2015165682.tif 000018
【００７６】
によって説明されるシンボルシークエンスを算出する。
【００７７】
三つの送信アンテナが使用される場合、表３のマッピングインデックス＃８は、変調ステップの出力でＱ−パートに否定演算を適用することによって観測され得る。変調ステップの出力でのシークエンスｄ(０),…,ｄ(Ｍｓｙｍｂ−１）に対し、仮に
【００７８】
【数１４】
2015165682.tif 000019
【００７９】
であり、
【００８０】
【数１５】
2015165682.tif 000020
【００８１】
がｄ(ｉ)の実数部と虚数部として表示されれば、星状リマッピングステップの出力は、
【００８２】
【数１６】
2015165682.tif 000021
【００８３】
により説明されるシンボルシークエンスを算出する。
【００８４】
さらに他の一実施形態において、表３が必要ないアンテナ設定を決定するために数学的関数が適用され得る。この実施形態において、モード関数(ｍｏｄ ｆｕｎｃｔｉｏｎ)がアンテナ設定を確定するインデックスに適用することができる。この実施形態において、マッピングインデックスはアンテナ設定に対応する整数を決定するモジュロ関数(ｍｏｄｕｌｏ ｆｕｎｃｔｉｏｎ)に適用され得る。例えば、
【００８５】
【数１７】
2015165682.tif 000022
【００８６】
である場合の関数ｇ(Ｎｔ，ｉ)に対し、アンテナ設定とマッピングシークエンスの間に下記の関係が決定され得る。
【００８７】
【数１８】
2015165682.tif 000023
【００８８】
モジュロ関数は、加入者局により受信される星状インデックスに適用され得る。モジュロ結果がアンテナ設定に対応するため、これは表３の必要性を除去する。
【００８９】
単一アンテナ設定に対し、モジュロ星状リマッピングは単純に
【００９０】
【数１９】
2015165682.tif 000024
【００９１】
である。
【００９２】
二つの送信アンテナモジュロ設定に対し、長さ−３マッピングシークエンスｍ＃１、ｍ＃１７、ｍ＃８が繰り返される。変調ステップの出力でのシークエンスｄ(０),…,ｄ(Ｍｓｙｍｂ−１）に対し、仮に
【００９３】
【数２０】
2015165682.tif 000025
【００９４】
がｄ(ｉ）の実数部と虚数部として表示されれば、星状リマッピングステップの出力は下記のように説明されるシンボルシークエンスを算出する。
【００９５】
【数２１】
2015165682.tif 000026
【００９６】
四つの送信アンテナモジュロ設定に対し、星状リマッピングステップの出力は下記のように説明されるシンボルシークエンスを算出する。
【００９７】
【数２２】
2015165682.tif 000027
【００９８】
図１１は、加入者局が基地局１０１−１０３から受信した信号の解釈を表したフローチャート７００である。このフローチャートにおいて、信号が加入者局により受信される(ブロック７０１)。加入者局は割り当てられたＰＢＣＨ資源を介してシンボル列を受信する(ブロック７０２)。ここで、適切なアンテナ数を決定するために星状図が解釈される。多くの場合、このような形で十分にアンテナ設定が決定される。このような設定は次の三つの仮定を利用して確定することができる。最初選択された仮定は星状情報に基づくものであり、二番目の仮定は、最初の仮定がＴｒｕｅのＣＲＣ検査結果が得られない場合にのみ利用される。ＴｒｕｅのＣＲＣ検査とはエラーがないＣＲＣ動作をいう。
【００９９】
最初の仮定は、一つの送信アンテナ設定を仮定し、逆星状リマッピングステップに適用される(ブロック７０３)。リマッピングステップの出力は単一送信機を仮定して復調される(ブロック７０４)。次に、スクランブリングと復号化がデータに実行される(ブロック７０５)。最後に、ＣＲＣ検査が復号されたデータに実行される。仮に、ＣＲＣ検査を通過し、データエラーが発生しなければ、単一送信アンテナに対する仮定が確定する。
【０１００】
二番目の仮定は、二つの送信アンテナ設定を仮定して逆星状リマッピングステップに適用される(ブロック７０９)。リマッピングステップの出力はＳＦＢＣ受信機を用いて二つの送信機を仮定して復調される(７１０)。次に、デ・スクランブリング(ｄｅｓｃｒａｍｂｌｉｎｇ)と復号化が実行される(７１１)。最後に、ＣＲＣ検査が復号化されたデータ上に実行される(ブロック７１２)。仮に、ＣＲＣ検査を通過し、データエラーが発生しなければ、二つの送信アンテナに対する仮定が確定する。
【０１０１】
三番目の仮定は、四つのアンテナ設定を仮定して逆星状リマッピングステップが実行される(ブロック７１３)。リマッピングステップの出力は、ＳＦＢＣ／ＦＳＴＤ受信機を用いて四つの送信機を仮定して復調される(ブロック７１４)。次に、デ・スクランブリングと復号化がデータに実行される(７１５)。仮に、ＣＲＣ検査を通過し、データエラーが発生しなければ、四つの送信アンテナに対する仮定が確定する。
【０１０２】
それぞれのブロック７０６、７１１、及び７１５において、四つの復号化が個別的に実行される。これらの復号化は１０、２０、３０、及び４０ｍｓタイミングで実行される。したがって、基地局１０１−１０３でアンテナ設定が決定されるが、タイミングは決定されない場合もある。時間はＣＲＣ検査に対する各タイミングで復号をテストすることによって確定される。ＣＲＣ検査結果がＴＲＵＥであれば、タイミング及びアンテナ設定が確定する。
【０１０３】
仮定のうち一つが確定した後、送信アンテナの数が実証される(ブロック７０８)。正確なタイミングと共に、このような情報はＰＢＣＨ内容を解釈するために用いられる。送信アンテナ数に対する関数として、星状リマッピングが他の物理チャンネル、またＢＰＳＫ、１６ＱＡＭ、６４ＱＡＭのような他の変調に適用され得る。
【０１０４】
本発明の他の実施形態において、ＣＲＣマスキングステップがＰＢＣＨ伝送ブロックに追加される。結果送信チェーン８００が図１２に示されている。ＣＲＣマスキングは、ＣＲＣビットが送信アンテナ数に対する関数であるビット列によってマスキングされることを意味する。
【０１０５】
図１２はデータがシステムに入力されることを表している(ブロック８０１)。システムに入力されるデータにＣＲＣマスクが適用される(ブロック８０２)。以後、データはスクランブルされて(ブロック８０３)変調される(ブロック８０４)。上述の実施形態で説明したリマッピングがオプションとして追加され得る(ブロック８０５)。最後に、データはデータフレーム上に配置される。
【０１０６】
図１３はＣＲＣマスクが適用される方法の例９００である。Ｐ−ＢＣＨペイロードが伝送のために受信される(ブロック９０１)。データに基づいてＣＲＣ符号が生成される(ブロック９０２)。このＣＲＣ符号は送信アンテナ数の関数であるシークエンスによってマスキングされる(ブロック９０３)。
【０１０７】
ＣＲＣ検査は、データの信頼性と無欠性を保障するために、データ上に一般的に実行される。ＣＲＣ符号を計算してＣＲＣ検査を実行する多くの方法が存在する。例えば、ＣＲＣはｘ＾４＋ｘ＋１の多項式である。これはデータが損失されていないことを確認するために用いられる。このような多項式は、ＣＲＣ−４標準に適う如何なるデータにも適用され得る。次の入力データを例に挙げて説明する。
【０１０８】
０００００００１(データ)
【０１０９】
知られている通信チャンネルを介して送受信できれば、このデータは損失されない。下記の関数はこのようなデータのＣＲＣがＴＲＵＥの結果になることを表す。
【０１１０】
ＣＲＣ(０００００００１)＝ＴＲＵＥ
【０１１１】
しかし、本発明において、データがさらに他のＣＲＣマスクでマスキングされる。よって、データは下記のように変形される。
【０１１２】
０００００００１(データ)  ０００００００２(マスキングされたデータ)
【０１１３】
従来のＣＲＣ検査を使用すれば、結果はＦＡＬＳＥとなる。
【０１１４】
ＣＲＣ(０００００００２)＝ＦＡＬＳＥ
【０１１５】
本発明ではデータの変更のために複数のマスクが使用される。このようなマスクはどれがＴＲＵＥであるかを決定するためにＣＲＣ検査によって確認される。例えば、データ０００００００１の場合、下記のマスクが使用され得る。
【０１１６】
０００００００１(データ)(マスキングされたデータ、単一アンテナ)
【０１１７】
０００００００１  (データ)  (マスキングされたデータ、二つのアンテナ)
【０１１８】
０００００００１(データ)(マスキングされたデータ、四つのアンテナ)
【０１１９】
マスキングされたデータは、加入者局によって受信された際、デ・マスキング(ｄｅｍａｓｋｉｎｇ)の逆ステップを経ることになる。仮に、マスキングされたデータが「好ましい」マスクによってデ・マスキングされれば、ＣＲＣ検査はＴＲＵＥになる。例えば、一つのアンテナマスクでデ・マスキングされた０００００００３は０００００００１と同一ではないため、ＣＲＣ検査は失敗となる。二つのアンテナマスクでデ・マスキングされた０００００００３は０００００００１と同一になってＣＲＣ検査は成功する。このような形で、加入者局に伝送されたデータは、基地局１０１−１０３のアンテナ設定に関連する情報でマスキングされ得る。
【０１２０】
図１３に戻り、Ｐ−ＢＣＨはマスキングされたＣＲＣと連接される(ブロック９０４)。このブロックにおいて、データは、データが加入者局で適切に解釈されるようにするマスキングされたＣＲＣと結合される。
【０１２１】
図１４は、加入者局が基地局１０１−１０３から受信した信号の解釈を表したフローチャートである(１０００)。このフローチャートにおいて、信号が加入者局によって受信される(ブロック１００１)。加入者局は割り当てられたＰＢＣＨ資源を介してシンボルシークエンスを収集する(ブロック１００２)。この時、アンテナ設定に関連し三つの仮定が成立される。三つの仮定のうち一つはＴＲＵＥの結果にならなければならず、ＴＲＵＥの結果は正確なアンテナ設定に相応する。アンテナ設定をＱＰＳＫ星状に符号化する実施形態とは異なり、ＣＲＣ実施形態はアンテナ設定に関連して直接情報を提供しない。したがって、ＱＰＳＫ星状実施形態とは異なり各仮定を試みることができる。
【０１２２】
最初の仮定は、一つの送信アンテナ設定を仮定する逆星状リマッピングステップに適用される(ブロック１００３)。リマッピングステップの出力は一つの送信機を仮定して変調される(１００４)。次に、デ・スクランブリングと復号がデータ上に実行される(ブロック１００５)。最後に、第１マスクを用いて復号されたデータに対してＣＲＣ検査が実行される(ブロック１００６)。仮に、ＣＲＣ検査を通過すれば、一つの送信アンテナに対する仮定が確定する。
【０１２３】
二番目の仮定は、二つの送信アンテナを仮定する逆星状リマッピングステップに適用される(ブロック１００９)。リマッピングステップの出力は、ＳＦＢＣ受信機を使用する二つの送信機を仮定して復調される(ブロック１０１０)。次に、デ・スクランブリングと復号化がデータに実行される(ブロック１０１１)。最後に、第２ＣＲＣマスクを用いて復号化されたデータにＣＲＣ検査が実行される(ブロック１０１２)。仮に、ＣＲＣ検査を通過すれば、二つのアンテナに対する仮定が確定する。
【０１２４】
三番目の仮定は、四つのアンテナ設定を仮定する逆星状リマッピングステップに適用される(ブロック１０１３)。リマッピングステップの出力は、ＳＦＢＣ／ＦＳＴＤ受信機を用いて四つの送信機を仮定して復調される(ブロック１０１４)。次に、デ・スクランブリングと復号化がデータに実行される(ブロック１０１５)。最後に、第３ＣＲＣマスクを用いて復号化されたデータにＣＲＣ検査が実行される(ブロック１０１６)。仮に、ＣＲＣ検査を通過すれば、四つの送信アンテナに対する仮定が確定する。
【０１２５】
それぞれのブロック１００５、１０１１、及び１０１５において、四つの異なる復号化が個別的に実行される。これらの復号は１０、２０、３０、及び４０ｍｓタイミングで実行される。よって、基地局１０１−１０３で、アンテナ数に対する三つの仮定が存在するが、これらの設定の各々は四つのタイミングを有することができる。したがって、基地局１０１−１０３の正確な設定を判断するために、実際に１２回のテストが実行される。
【０１２６】
仮定のうち一つが確定した後、送信アンテナの数が知られるようになる。正確なタイミングと共にこの情報はＰＢＣＨの内容を解釈するのに用られる(ブロック１００７)。
【０１２７】
ＱＰＳＫ星状とエラー訂正符号の両方とも一つの実施形態で使用することができる。図１５はＱＰＳＫ星状マッピングとＣＲＣマスキングの両方とも使用される一実施形態(１１００)である。データがシステムに入力される(ブロック１１０１)。ＣＲＣマスクがシステムに入力されたデータに適用される(ブロック１１０２)。その後データはスクランブルされて(ブロック１１０３)変調される(ブロック１１０４)。アンテナ設定は、ＱＰＳＫ星状にマッピングされ、データはデータフレームに配置される(ブロック１１０５)。
【０１２８】
図１６は、ＱＰＳＫ星状とＣＲＣマスクを両方とも使用し、加入者局が基地局１０１−１０３から受信した信号の解釈を表したフローチャートである。このフローチャートにおいて、信号が加入者局によって受信される(ブロック１２０１)。加入者局は割り当てられたＰＢＣＨ資源を介してシンボルシークエンスを受信する(ブロック１２０２)。この情報は、ＱＰＳＫ星状により基地局１０１−１０３のアンテナ設定を判断するのに使用される。三つの仮定がＱＰＳＫ星状から求められたアンテナ設定を決定するために使用され得る。
【０１２９】
最初の仮定は、一つの送信アンテナ設定を仮定して逆星状リマッピングステップに適用される(ブロック１２０３)。リマッピングステップの出力は一つの送信機を仮定して変調される(ブロック１２０４)。次に、スクランブリングと復号化がデータに実行される(ブロック１２０５)。最後に、第１ＣＲＣマスクを用いてＣＲＣ検査が復号化されたデータに実行される(ブロック１２０６)。仮に、ＣＲＣ検査を通過すれば、一つの送信アンテナに対する仮定が確定する。
【０１３０】
二番目の仮定は二つの送信アンテナ設定を仮定して逆星状リマッピングステップに適用される(１２０８)。リマッピングステップの出力は、ＳＦＢＣ受信機を用いて二つの送信機を仮定して復調される(ブロック１２０９)。次に、デ・スクランブリングと復号化がデータに実行される(ブロック１２１０)。最後に、第２ＣＲＣマスクを用いてＣＲＣ検査が復号化されたデータに実行される。仮に、ＣＲＣ検査を通過すれば、二つの送信アンテナに対する仮定が確定する。
【０１３１】
三番目の仮定は、四つの送信アンテナ設定を仮定して逆星状リマッピングステップに適用される(ブロック１２１２)。リマッピングステップの出力は、ＳＦＢＣ受信機を用いて四つの送信アンテナを仮定して復調される(ブロック１２１３)。次に、デ・スクランブリングと復号化がデータに実行される(ブロック１２１４)。最後に、第３ＣＲＣマスクを用いてＣＲＣ検査が復号化されたデータに実行される。仮に、ＣＲＣ検査を通過すれば、四つのアンテナに対する仮定が確定する。
【０１３２】
それぞれのブロック１２０５、１２１０、及び１２１４において、四つの復号化が個別的に実行される。これらの復号化は１０、２０、３０、及び４０ｍｓタイミングで実行される。したがって、基地局１０１−１０３において、アンテナの数に対し三つの仮定が存在するが、これらの設定の各々は４回のタイミングを有することができる。よって、基地局１０１−１０３の正確な設定を判断するため、実際に１２回のテストが実行される。
【０１３３】
仮定のうち一つが確定した後、送信アンテナの数が知られるようになる。正確なタイミングと共にこの情報はＰＢＣＨの内容を解釈するのに用られる(ブロック１２０７)。
【０１３４】
ＯＰＳＫ星状とＣＲＣマスクの両方を用いることによって、基地局１０１−１０３のアンテナ設定が決定される。
【０１３５】
本発明は一実施形態とともに説明されたが、多様な変更と修正が当業者にとって実行可能である。本発明は、添付された特許請求の範囲が、そのような変更と修正も含むことを意味する。
【符号の説明】
【０１３６】
１００・・・無線網
１０１、１０２、１０３・・・基地局(ＢＳ)
１１２、１１３、１１４、１１５、１１６・・・加入者局
１２０，１２５・・・カバレッジ領域
１３０・・・インターネット
【図１】
2015165682.tif 000028
【図２】
2015165682.tif 000029
【図３】
2015165682.tif 000030
【図４】
2015165682.tif 000031
【図５】
2015165682.tif 000032
【図６】
2015165682.tif 000033
【図７】
2015165682.tif 000034
【図８】
2015165682.tif 000035
【図９】
2015165682.tif 000036
【図１０】
2015165682.tif 000037
【図１１】
2015165682.tif 000038
【図１２】
2015165682.tif 000039
【図１３】
2015165682.tif 000040
【図１４】
2015165682.tif 000041
【図１５】
2015165682.tif 000042
【図１６】
2015165682.tif 000043
【手続補正書】
【提出日】平成27年5月8日(2015.5.8)
【手続補正１】
【補正対象書類名】特許請求の範囲
【補正対象項目名】全文
【補正方法】変更
【補正の内容】
【特許請求の範囲】
【請求項１】
基地局において、
物理放送チャンネル（ｐｈｙｓｉｃａｌ  ｂｒｏａｄｃａｓｔ  ｃｈａｎｎｅｌ：ＰＢＣＨ)に伝送されるデータに対する巡回冗長検査（ｃｙｃｌｉｃ  ｒｅｄｕｎｄａｎｃｙ  ｃｈｅｃｋ：ＣＲＣ）コードを生成し、
前記ＣＲＣコードをマスクするにおいて、前記基地局が１個の送信アンテナを使用して伝送する場合、第１のシーケンスで前記ＣＲＣコードをマスクし、前記基地局が２個の送信アンテナを使用して伝送する場合、第２のシーケンスで前記ＣＲＣコードをマスクし、前記基地局が４個の送信アンテナを使用して伝送する場合、第３のシーケンスで前記ＣＲＣコードをマスクするように制御するプロセッサと、
前記ＰＢＣＨを介して前記データ及びマスクされたＣＲＣコードを伝送する送信機と、を含むことを特徴とする基地局。
【請求項２】
前記第１、第２及び第３のシーケンスは、端末が前記基地局の１個以上の送信アンテナの設定を決定するように使用されることを特徴とする請求項１に記載の基地局。
【請求項３】
前記第１、第２及び第３のシーケンスのそれぞれは、前記端末が前記基地局の１個以上の送信アンテナの設定を決定するように、前記端末に伝送されるマスクされたＣＲＣコードに適用されることを特徴とする請求項２に記載の基地局。
【請求項４】
基地局のデータ伝送方法において、
前記基地局が物理放送チャンネル（ｐｈｙｓｉｃａｌ  ｂｒｏａｄｃａｓｔ  ｃｈａｎｎｅｌ：ＰＢＣＨ)に伝送されるデータに対する巡回冗長検査（ｃｙｃｌｉｃ  ｒｅｄｕｎｄａｎｃｙ  ｃｈｅｃｋ：ＣＲＣ）コードを生成するステップと、
前記基地局が前記ＣＲＣコードをマスクするにおいて、前記基地局が１個の送信アンテナを使用して伝送する場合、第１のシーケンスで前記ＣＲＣコードをマスクし、前記基地局が２個の送信アンテナを使用して伝送する場合、第２のシーケンスで前記ＣＲＣコードをマスクし、前記基地局が４個の送信アンテナを使用して伝送する場合、第３のシーケンスで前記ＣＲＣコードをマスクするステップと、
前記ＰＢＣＨを介して前記基地局から前記データ及びマスクされたＣＲＣコードを伝送するステップと、を含むことを特徴とする基地局のデータ伝送方法。
【請求項５】
前記第１、第２及び第３のシーケンスは、端末が前記基地局の１個以上の送信アンテナの設定を決定するように使用されることを特徴とする請求項４に記載の基地局のデータ伝送方法。
【請求項６】
前記第１、第２及び第３のシーケンスのそれぞれは、前記端末が前記基地局の１個以上の送信アンテナの設定を決定するように、前記端末に伝送されるマスクされたＣＲＣコードに適用されることを特徴とする請求項５に記載の基地局のデータ伝送方法。
【請求項７】
端末において、
データ及び前記データと関連して生成されたマスクされた巡回冗長検査（ｃｙｃｌｉｃ  ｒｅｄｕｎｄａｎｃｙ  ｃｈｅｃｋ：ＣＲＣ）コードを物理放送チャンネル（ｐｈｙｓｉｃａｌ  ｂｒｏａｄｃａｓｔ  ｃｈａｎｎｅｌ：ＰＢＣＨ)を介して受信する受信機と、
前記受信したデータに対するＣＲＣコードを生成し、
第１、第２及び第３のマスクされたＣＲＣコードを生成するために、それぞれ第１、第２及び第３のシーケンスで前記生成されたＣＲＣコードをマスクし、
前記第１、第２及び第３のマスクされたＣＲＣコードを、前記受信したマスクされたＣＲＣコードと比較し、
前記第１のマスクされたＣＲＣコードが、前記受信したマスクされたＣＲＣコードと一致すると、前記データ及び前記マスクされたＣＲＣコードが伝送されるにおいて、１個の送信アンテナが使用されたと判断し、
前記第２のマスクされたＣＲＣコードが、前記受信したマスクされたＣＲＣコードと一致すると、前記データ及び前記マスクされたＣＲＣコードが伝送されるにおいて、２個の送信アンテナが使用されたと判断し、
前記第３のマスクされたＣＲＣコードが、前記受信したマスクされたＣＲＣコードと一致すると、前記データ及び前記マスクされたＣＲＣコードが伝送されるにおいて、４個の送信アンテナが使用されたと判断するように制御するプロセッサと、を含むことを特徴とする端末。
【請求項８】
前記第１、第２及び第３のマスクされたＣＲＣコードは、実質的に同時に生成されることを特徴とする請求項７に記載の端末。
【請求項９】
前記プロセッサは、
前記受信したデータを、１個の送信アンテナを介して伝送が行われる場合、２個の送信アンテナを介して伝送が行われる場合、及び４個の送信アンテナを介して伝送が行われる場合を仮定して、実質的に同時に復調することを特徴とする請求項８に記載の端末。
【請求項１０】
端末のデータ受信方法において、
前記端末が、データ及び前記データと関連して生成されたマスクされた巡回冗長検査（ｃｙｃｌｉｃ  ｒｅｄｕｎｄａｎｃｙ  ｃｈｅｃｋ：ＣＲＣ）コードを物理放送チャンネル（ｐｈｙｓｉｃａｌ  ｂｒｏａｄｃａｓｔ  ｃｈａｎｎｅｌ：ＰＢＣＨ)を介して受信するステップと、
前記端末が、前記受信したデータに対するＣＲＣコードを生成するステップと、
前記端末が、第１、第２及び第３のマスクされたＣＲＣコードを生成するために、それぞれ第１、第２及び第３のシーケンスで前記生成されたＣＲＣコードをマスクするステップと、
前記第１、第２及び第３のマスクされたＣＲＣコードを、前記受信したマスクされたＣＲＣコードと比較するステップと、
前記第１のマスクされたＣＲＣコードが、前記受信したマスクされたＣＲＣコードと一致すると、前記データ及び前記マスクされたＣＲＣコードが伝送されるにおいて、１個の送信アンテナが使用されたと判断し、
前記第２のマスクされたＣＲＣコードが、前記受信したマスクされたＣＲＣコードと一致すると、前記データ及び前記マスクされたＣＲＣコードが伝送されるにおいて、２個の送信アンテナが使用されたと判断し、
前記第３のマスクされたＣＲＣコードが、前記受信したマスクされたＣＲＣコードと一致すると、前記データ及び前記マスクされたＣＲＣコードが伝送されるにおいて、４個の送信アンテナが使用されたと判断するステップと、を含むことを特徴とする端末のデータ受信方法。
【請求項１１】
前記第１、第２及び第３のマスクされたＣＲＣコードは、実質的に同時に生成されることを特徴とする請求項１０に記載の端末のデータ受信方法。
【請求項１２】
前記受信したデータを、１個の送信アンテナを介して伝送が行われる場合、２個の送信アンテナを介して伝送が行われる場合、及び４個の送信アンテナを介して伝送が行われる場合を仮定して、実質的に同時に復調するステップをさらに含むことを特徴とする請求項１１に記載の端末のデータ受信方法。